(57)【要約】【課題】抵抗分圧回路を用いて電池の電圧を計測する電圧計測回路において、計測時間を短縮する。【解決手段】ｎ個の電池を含む組電池の電圧を計測する電圧計測回路は、第１の参照抵抗およびｎ個の抵抗から構成される第１の抵抗分圧回路と、第２の参照抵抗および補助抵抗から構成される第２の抵抗分圧回路と、ｎ個のリレー素子と、第１の参照抵抗の正側端子の電圧を表す第１の電圧、および第２の参照抵抗の正側端子の電圧を表す第２の電圧に基づいて電池の電圧を計測する制御部、を備える。制御部は、第１の電池に接続されるリレー素子および第１の電池よりも高電位側に設けられる第２の電池に接続されるリレー素子のみをオン状態に制御したときに、第１の電圧に基づいて第１の電池の正側端子の電位を計算すると共に、第２の電圧に基づいて第２の電池の正側端子の電位を計算する。【選択図】図２
2020159989.tif 000002
【特許請求の範囲】
【請求項１】
直列に接続されたｎ（ｎは、２以上の整数）個の電池を含む組電池の電圧を計測する電圧計測回路であって、
直列に接続された第１の参照抵抗およびｎ個の抵抗から構成される第１の抵抗分圧回路と、
直列に接続された第２の参照抵抗および補助抵抗から構成され、前記第１の抵抗分圧回路に電気的に並列に接続される第２の抵抗分圧回路と、
前記ｎ個の電池の正側端子と前記ｎ個の抵抗の一方の端子との間にそれぞれ設けられるｎ個のリレー素子と、
前記ｎ個のリレー素子を制御し、前記第１の参照抵抗と前記ｎ個の抵抗の中の１つの抵抗との接続点の電圧を表す第１の電圧、および前記第２の参照抵抗と前記補助抵抗との接続点の電圧を表す第２の電圧に基づいて、前記ｎ個の電池の電圧を計測する制御部と、を備え、
前記組電池の負側端子は、前記第１の参照抵抗および前記第２の参照抵抗に電気的に接続され、
前記制御部は、前記ｎ個の電池の中の第１の電池に接続されるリレー素子および前記ｎ個の電池の中で前記第１の電池よりも高電位側に設けられる第２の電池に接続されるリレー素子のみをオン状態に制御したときに、前記第１の電圧に基づいて前記第１の電池の正側端子の電位を計算すると共に、前記第２の電圧に基づいて前記第２の電池の正側端子の電位を計算する
ことを特徴とする電圧計測回路。
【請求項２】
前記制御部は、前記ｎ個の電池の中で最も電位が低い電池に接続されるリレー素子から順番に、又は、前記ｎ個の電池の中で最も電位が高い電池に接続されるリレー素子から順番に、前記複数のリレー素子の中の互いに隣接する２個のリレー素子をオン状態に制御して対応する２つの電位を計算する
ことを特徴とする請求項１に記載の電圧計測回路。
【発明の詳細な説明】
【技術分野】
【０００１】
本発明は、電池の電圧を計測する電圧計測回路に係わる。
【背景技術】
【０００２】
充電可能な二次電池は、様々な分野において広く実用化されている。例えば、電気自動車またはプラグインハイブリッド車は、走行用モータに電流を供給するための二次電池を備える。
【０００３】
二次電池を充電する充電装置は、多くのケースにおいて、二次電池の電圧をモニタしながら二次電池に電流を供給する。このため、充電装置は、二次電池の電圧を計測する電圧計測回路を備える。或いは、充電装置には、二次電池の電圧を計測する電圧計測回路が接続される。
【０００４】
ところで、大容量の二次電池は、直列に接続された複数の電池を含む組電池により実現されることがある。そして、直列に接続された各電池の電圧を計測する電圧計測回路の一例として、複数の抵抗が直列に接続された抵抗分圧回路を備える構成が知られている。例えば、特許文献１に記載されている電圧検出回路は、複数の電池モジュールから構成される高電圧バッテリに接続され、抵抗分圧回路および制御回路を備える。抵抗分圧回路は、複数の分圧抵抗および複数のスイッチング素子を備える。そして、制御回路は、スイッチング素子を制御しながら抵抗分圧回路の出力電圧を計測することで各電池モジュールの電圧を検出する。
【先行技術文献】
【特許文献】
【０００５】
【特許文献１】特開２０１０−００８２２７号公報
【発明の概要】
【発明が解決しようとする課題】
【０００６】
抵抗分圧回路を用いて電池の電圧を計測する場合、計測時間が長くなることがある。例えば、直列に接続された各電池の電圧を計測するときは、各電池に対応するスイッチング素子を１つずつ順番にオン状態に制御しながら、抵抗分圧回路の出力電圧がそれぞれ検出される。よって、直列に接続された電池の数が多いときは、計測時間が長くなる。
【０００７】
本発明の１つの側面に係わる目的は、抵抗分圧回路を用いて電池の電圧を計測する電圧計測回路において、計測時間を短縮することである。
【課題を解決するための手段】
【０００８】
本発明の１つの態様の電圧計測回路は、直列に接続されたｎ（ｎは、２以上の整数）個の電池を含む組電池の電圧を計測する。この電圧計測回路は、直列に接続された第１の参照抵抗およびｎ個の抵抗から構成される第１の抵抗分圧回路と、直列に接続された第２の参照抵抗および補助抵抗から構成され、前記第１の抵抗分圧回路に電気的に並列に接続される第２の抵抗分圧回路と、前記ｎ個の電池の正側端子と前記ｎ個の抵抗の一方の端子との間にそれぞれ設けられるｎ個のリレー素子と、前記ｎ個のリレー素子を制御し、前記第１の参照抵抗と前記ｎ個の抵抗の中の１つの抵抗との接続点の電圧を表す第１の電圧、および前記第２の参照抵抗と前記補助抵抗との接続点の電圧を表す第２の電圧に基づいて、前記ｎ個の電池の電圧を計測する制御部と、を備える。前記組電池の負側端子は、前記第１の参照抵抗および前記第２の参照抵抗に電気的に接続される。そして、前記制御部は、前記ｎ個の電池の中の第１の電池に接続されるリレー素子および前記ｎ個の電池の中で前記第１の電池よりも高電位側に設けられる第２の電池に接続されるリレー素子のみをオン状態に制御したときに、前記第１の電圧に基づいて前記第１の電池の正側端子の電位を計算すると共に、前記第２の電圧に基づいて前記第２の電池の正側端子の電位を計算する。このとき、前記制御部は、前記ｎ個の電池の中で最も電位が低い電池に接続されるリレー素子から順番に、又は、前記ｎ個の電池の中で最も電位が高い電池に接続されるリレー素子から順番に、前記複数のリレー素子の中の互いに隣接する２個のリレー素子をオン状態に制御して対応する２つの電位を計算してもよい。
【０００９】
上記構成の電圧計測回路によれば、２個のリレー素子を同時にオン状態に制御することで、組電池内の２点の電位を同時に計測できる。よって、抵抗分圧回路を用いて電池の電圧を計測する電圧計測回路において、組電池内の各電池の電圧を計測するために要する時間を短縮できる。
【発明の効果】
【００１０】
上述の態様によれば、抵抗分圧回路を用いて電池の電圧を計測する電圧計測回路において、計測時間を短縮できる。
【図面の簡単な説明】
【００１１】
【図１】本発明の実施形態に係わる電圧計測回路の使用例を示す図である。
【図２】電圧計測回路の一例を示す図である。
【図３】電圧を計測する処理の一例を示すフローチャートである。
【発明を実施するための形態】
【００１２】
図１は、本発明の実施形態に係わる電圧計測回路の使用例を示す。この実施例では、電圧計測回路１は、電気自動車またはプラグインハイブリッド車などの電動車両において使用され、走行用モータ１０５に電流を供給するための二次電池１０１の電圧を測定する。
【００１３】
二次電池１０１は、直列に接続された複数の電池モジュールを含む組電池により実現される。そして、電圧計測回路１は、二次電池１０１の電圧を計測すると共に、二次電池１０１を構成する各電池モジュールの電圧（又は、各電池モジュールの正側端子の電位）を計測する。また、各電池モジュールは、例えば、直列に接続される複数の電池セルで構成される。この場合、電圧計測回路１は、各電池セルの電圧を計測してもよい。なお、以下の記載では、各電池モジュールまたは各電池セルを単に「電池」と呼ぶことがある。
【００１４】
充電器１０２は、二次電池１０１を充電する。このとき、充電器１０２は、電圧計測回路１によりモニタされる電圧および電流センサ１０３によりモニタされる電流に基づいて二次電池１０１を充電してもよい。電動車両の走行時には、二次電池１０１から走行用モータ１０５に電流が供給される。このとき、インバータ回路１０４は、この実施例では、３相交流を生成して走行用モータ１０５に供給する。
【００１５】
二次電池１０１と充電器１０２との間には、リレー１０６が設けられる。また、二次電池１０１の負極側において、充電器１０２および負荷（この実施例では、走行用モータ１０５）との間には、リレー１０７が設けられる。そして、コントローラ１０８は、リレー１０６、１０７を制御する。例えば、充電器１０２が二次電池１０１を充電するときは、コントローラ１０８は、リレー１０６、１０７をオン状態に制御する。また、電動車両の走行時には、コントローラ１０８は、リレー１０６をオフ状態に制御すると共に、リレー１０７をオン状態に制御する。二次電池１０１が過充電状態または過放電状態であるときは、コントローラ１０８は、リレー１０７をオフ状態に制御してもよい。
【００１６】
なお、コントローラ１０８は、電圧計測回路１によりモニタされる電圧および電流センサ１０３によりモニタされる電流に基づいて充電器１０２に電流指令値を与えてもよい。また、コントローラ１０８は、必要に応じて、電圧計測回路１に制御信号を与えることができる。
【００１７】
図２は、電圧計測回路１の一例を示す。電圧計測回路１は、この実施例では、二次電池１０１の電圧を計測する。二次電池１０１は、図２に示すように、直列に接続されたｎ個の電池モジュールＢ１〜Ｂｎを備える。そして、電圧計測回路１は、二次電池１０１の電圧を測定すると共に、各電池モジュールＢ１〜Ｂｎの電圧を計測できる。
【００１８】
電圧計測回路１は、抵抗回路（第１の抵抗分圧回路）１１、抵抗回路（第２の抵抗分圧回路）１２、複数のリレー素子（第１〜第ｎのリレー素子）Ｓ１〜Ｓｎ、および制御部１３を備える。なお、電圧計測回路１は、図２に示していない他の回路要素を備えていてもよい。
【００１９】
抵抗回路１１は、参照抵抗Ｒ０および抵抗Ｒ１〜Ｒｎから構成される。参照抵抗Ｒ０および抵抗Ｒ１〜Ｒｎは、順番に、直列に接続されている。また、参照抵抗Ｒ０および抵抗Ｒ１〜Ｒｎは、分圧抵抗として使用される。すなわち、抵抗回路１１は、抵抗分圧回路の一例である。なお、抵抗Ｒ１〜Ｒｎの抵抗値は、互いに同じであってもよいし、互いに同じでなくてもよい。抵抗回路１２は、参照抵抗ｒ０および補助抵抗ｒ１を備える。参照抵抗ｒ０および補助抵抗ｒ１は、直列に接続されている。また、参照抵抗ｒ０および補助抵抗ｒ１は、分圧抵抗として使用される。すなわち、抵抗回路１２も、抵抗分圧回路の一例である。
【００２０】
各リレー素子Ｓ１〜Ｓｎの一方の端子（電池側端子）は、対応する電池モジュールＢ１〜Ｂｎの正側端子に電気的に接続されている。例えば、リレー素子Ｓ１の電池側端子は電池モジュールＢ１の正側端子に接続され、リレー素子Ｓｎの電池側端子は電池モジュールＢｎの正側端子に接続される。また、各リレー素子Ｓ１〜Ｓｎの他方の端子（制御部側端子）は、対応する抵抗Ｒ１〜Ｒｎの一方の端子（正側端子）に電気的に接続されている。例えば、リレー素子Ｓ１の制御部側端子は抵抗Ｒ１の正側端子に接続され、リレー素子Ｓｎの制御部側端子は抵抗Ｒｎの正側端子に接続される。すなわち、電池モジュールＢ１〜Ｂｎの正側端子と、対応する抵抗Ｒ１〜Ｒｎの正側端子との間に、対応するリレー素子Ｓ１〜Ｓｎが設けられている。なお、各リレー素子Ｓ１〜Ｓｎの状態は、制御部１３により制御される。
【００２１】
抵抗Ｒ１の他方の端子（負側端子）は、参照抵抗Ｒ０の一方の端子（正側端子）に接続されている。参照抵抗Ｒ０の他方の端子（負側端子）は、二次電池１０１の負側端子（すなわち、電池モジュールＢ１の負側端子）に電気的に接続されている。そして、参照抵抗Ｒ０と抵抗Ｒ１との接続点の電圧Ｖａは、制御部１３に与えられる。
【００２２】
抵抗回路１２は、抵抗回路１１に電気的に並列に接続される。即ち、補助抵抗ｒ１の一方の端子（正側端子）は、抵抗Ｒｎの正側端子およびリレー素子Ｓｎの制御部側端子に接続される。補助抵抗ｒ１の他方の端子（負側端子）は、参照抵抗ｒ０の一方の端子（正側端子）に接続される。参照抵抗ｒ０の他方の端子（負側端子）は、参照抵抗Ｒ０の負側端子および二次電池１０１の負側端子に接続される。そして、参照抵抗ｒ０と補助抵抗ｒ１との接続点の電圧Ｖｂは、制御部１３に与えられる。
【００２３】
制御部１３は、リレー素子Ｓ１〜Ｓｎを制御しながら電圧Ｖａおよび電圧Ｖｂを検出することで、二次電池１０１の電圧および各電池モジュールＢ１〜Ｂｎの正側端子の電位を計測する。また、制御部１３は、リレー素子Ｓ１〜Ｓｎを制御しながら電圧Ｖａおよび電圧Ｖｂをモニタすることで、抵抗回路１１、１２の故障を検出することもできる。
【００２４】
制御部１３は、例えば、マイコンにより実現される。この場合、制御部１３は、プロセッサおよびメモリを備える。プロセッサは、メモリに格納されているプログラムを実行することにより、電池の電圧を計測することができる。このプログラムは、リレー素子Ｓ１〜Ｓｎを制御する記述、電圧Ｖａおよび電圧Ｖｂに基づいて電池の電圧を計算する記述を含む。なお、メモリには、各抵抗（Ｒ０〜Ｒｎ、ｒ０〜ｒ１）の抵抗値を表す抵抗情報が格納されていてもよい。
【００２５】
＜電圧の計測＞
制御部１３は、抵抗回路１１の出力電圧Ｖａおよび抵抗回路１２の出力電圧Ｖｂを利用して、各電池モジュールＢ１〜Ｂｎの正側端子の電位を計測することができる。電池モジュールＢｉ（ｉ＝１〜ｎ）の正側端子の電位は、二次電池１０１の負極の電位と電池モジュールＢｉの正側端子の電位との間の電圧に相当する。なお、以下の記載では、各抵抗Ｒ１〜Ｒｎの正側端子の電位は、それぞれＶ１〜Ｖｎで表されるものとする。抵抗Ｒｉ（ｉ＝１〜ｎ）の正側端子の電位は、二次電池１０１の負極の電位と抵抗Ｒｉの正側端子の電位との間の電圧に相当する。
【００２６】
制御部１３は、二次電池１０１の電圧測定において、リレー素子Ｓ１〜Ｓｎの中から２個のリレー素子を選択する。そして、制御部１３は、選択した２個のリレー素子のみをオン状態に制御しながら、電圧Ｖａおよび電圧Ｖｂを取得する。
【００２７】
ここで、制御部１３は、リレー素子Ｓｊおよびリレー素子Ｓｋをオン状態に制御し、他のリレー素子をオフ状態に制御するものとする。リレー素子Ｓｊは、電池モジュールＢｊ（即ち、二次電池１０１の負極から数えてｊ番目の電池モジュール）に接続されるリレー素子を表す。リレー素子Ｓｋは、電池モジュールＢｋ（即ち、二次電池１０１の負極から数えてｋ番目の電池モジュール）に接続されるリレー素子を表す。ｋは、ｊよりも大きいものとする。換言すると、リレー素子Ｓｋは、リレー素子Ｓｊに対して正側に設けられている。一例としては、ｋ＝ｊ＋１である。この場合、互いに隣接する２個のリレー素子がオン状態に制御される。ただし、必ずしもｋ＝ｊ＋１である必要はなく、この場合、互いに隣接しない２個のリレー素子がオン状態に制御されることになる。
【００２８】
リレー素子Ｓｊ、Ｓｋがオン状態に制御され、且つ、他のリレー素子がオフ状態に制御されたとき、電圧Ｖａは、（１）式で表される。
【００２９】
【数１】
2020159989.tif 000003
【００３０】
制御部１３は、電圧Ｖａの測定値を（１）式に与えることにより電圧Ｖｊを計算する。電圧Ｖｊは、抵抗Ｒｊ（即ち、参照抵抗Ｒ０から数えてｊ番目の抵抗）の正側端子の電位を表す。ここで、リレー素子Ｓｊがオン状態に制御されているので、電圧Ｖｊは、電池モジュールＢｊの正側端子の電位と実質的に同じである。したがって、制御部１３は、電圧Ｖａに基づいて電池モジュールＢｊの正側端子の電位を計算できる。
【００３１】
また、リレー素子Ｓｊ、Ｓｋがオン状態に制御され、且つ、他のリレー素子がオフ状態に制御されたとき、電圧Ｖｂは、（２）式で表される。
【００３２】
【数２】
2020159989.tif 000004
【００３３】
制御部１３は、電圧Ｖｂの測定値を（２）式に与えることにより電圧Ｖｋを計算する。電圧Ｖｋは、抵抗Ｒｋ（即ち、参照抵抗Ｒ０から数えてｋ番目の抵抗）の正側端子の電位を表す。ここで、リレー素子Ｓｋがオン状態に制御されているので、電圧Ｖｋは、電池モジュールＢｋの正側端子の電位と実質的に同じである。したがって、制御部１３は、電圧Ｖｂに基づいて電池モジュールＢｋの正側端子の電位を計算できる。
【００３４】
このように、制御部１３は、２個のリレー素子を同時にオン状態に制御することで、二次電池１０１内の２点の電位を同時に計測できる。具体的には、リレー素子Ｓｊおよびリレー素子Ｓｋをオン状態に制御したときに、制御部１３は、抵抗回路１１の出力電圧Ｖａに基づいて電池モジュールＢｊの正側端子の電位を計測し、抵抗回路１２の出力電圧Ｖｂに基づいて電池モジュールＢｋの正側端子の電位を計測する。
【００３５】
ここで、全電池モジュールＢ１〜Ｂｎの正側端子の電位をそれぞれ計測するときは、制御部１３は、リレー素子を２個ずつ順番に選択しながら電圧Ｖａおよび電圧Ｖｂを検出する。例えば、制御部１３は、電池モジュールＢ１〜Ｂｎの中で最も電位の低い電池モジュールに接続されるリレー素子から順番に、リレー素子を２個ずつ選択してオン状態に制御する。この場合、最初の計測時には、制御部１３は、リレー素子Ｓ１、Ｓ２をオン状態に制御しながら電圧Ｖａ、Ｖｂを検出することにより、電池モジュールＢ１、Ｂ２の正側端子の電位をそれぞれ計算する。そして、電池モジュールＢ１の電圧を、電池モジュールＢ１の正極端子の電位と二次電池１０１の負極端子の電位との差分により求め、電池モジュールＢ２の電圧を、電池モジュールＢ２の正極端子の電位と電池モジュールＢ１の正極端子の電位との差分により求める。続いて、制御部１３は、リレー素子Ｓ２の正側に隣接する２個のリレー素子をオン状態に制御しながら電圧Ｖａ、Ｖｂを検出することにより、電池モジュールＢ２の正側に隣接する２個の電池モジュールの正側端子の電位をそれぞれ計算する。すなわち、制御部１３は、リレー素子Ｓ３、Ｓ４をオン状態に制御しながら電圧Ｖａ、Ｖｂを検出することにより、電池モジュールＢ３、Ｂ４の正側端子の電位をそれぞれ計算する。そして、電池モジュールＢ３の電圧を、電池モジュールＢ３の正極端子の電位と電池モジュールＢ２の正極端子の電位との差分により求め、電池モジュールＢ４の電圧を、電池モジュールＢ４の正極端子の電位と電池モジュールＢ３の正極端子の電位との差分により求める。この後、電池モジュールＢｎまで、二次電池１０１内の各電池モジュールの電位が２点ずつ順番に計測される。
【００３６】
図３は、電圧を計測する処理の一例を示すフローチャートである。このフローチャートの処理は、例えば、コントローラ１０８から制御部１３に計測指示が与えられたときに実行される。或いは、制御部１３は、自発的または定期的に、このフローチャートの処理を実行してもよい。
【００３７】
Ｓ１において、制御部１３は、変数ｘを１に初期化する。変数ｘは、リレー素子Ｓ１〜Ｓｎの中の１つを指定する。Ｓ２において、制御部１３は、変数ｘに対応する２個のリレー素子を選択する。具体的には、制御部１３は、リレー素子Ｓｘおよびリレー素子Ｓｘ＋１を選択する。なお、リレー素子Ｓｘおよびリレー素子Ｓｘ＋１は、それぞれ、電池モジュールＢｘおよび電池モジュールＢｘ＋１の正側端子に接続されるリレー素子を表す。そして、制御部１３は、選択した２個のリレー素子をオン状態に制御する。このとき、他のリレー素子は、オフ状態に制御される。
【００３８】
Ｓ３において、制御部１３は、抵抗回路１１の出力電圧Ｖａおよび抵抗回路１２の出力電圧Ｖｂを取得する。Ｓ４において、制御部１３は、電圧Ｖａに基づいて、リレー素子ｘに接続される電池モジュール（すなわち、二次電池１０１の負極から数えてｘ番目の電池モジュール）の正側端子の電位を計算する。この計算は、上述した（１）式により実現される。また、Ｓ５において、制御部１３は、電圧Ｖｂに基づいて、リレー素子ｘ＋１に接続される電池モジュール（すなわち、二次電池１０１の負極から数えてｘ＋１番目の電池モジュール）の正側端子の電位を計算する。この計算は、上述した（２）式により実現される。
【００３９】
Ｓ６において、制御部１３はｘ番目の電池モジュール及びｘ＋１番目の電池モジュールの正側端子の電位に基づいて、ｘ番目の電池モジュール及びｘ＋１番目の電池モジュールの電圧を求める。
【００４０】
Ｓ７において、制御部１３は、変数ｘがｎ以上であるか否かを判定する。ｎは、二次電池１０１が備える電池モジュールの個数（即ち、リレー素子の個数）を表す。そして、変数ｘがｎより小さいときは、制御部１３は、Ｓ８において、変数ｘを２だけインクリメントする。この後、制御部１３の処理は、Ｓ２に戻る。すなわち、制御部１３は、変数ｘがｎ以上になるまで、Ｓ２〜Ｓ５の処理を繰り返し実行する。この過程において、リレー素子Ｓ１〜Ｓｎのうちから２個のリレー素子が順番に選択される。そして、２個のリレー素子が選択されるごとに、対応する２個の電池モジュールの電位が計測される。
【００４１】
なお、図３に示す実施例では、二次電池１０１の負極側から正極側に向かって順番に電池モジュールの電位が計測されるが、本発明はこの形態に限定されるものではない。すなわち、制御部１３は、二次電池１０１の正極側から負極側に向かって順番に電池モジュールの電位を計測してもよい。
【００４２】
具体的には、制御部１３は、電池モジュールＢ１〜Ｂｎの中で最も電位の高い電池モジュールに接続されるリレー素子から順番に、リレー素子を２個ずつ選択してオン状態に制御してもよい。この場合、最初の計測時には、制御部１３は、リレー素子Ｓｎ、Ｓｎ−１をオン状態に制御しながら電圧Ｖａ、Ｖｂを検出することにより、電池モジュールＢｎ、Ｂｎ−１の正側端子の電位をそれぞれ計算する。続いて、制御部１３は、リレー素子Ｓｎ−１の負側に隣接する２個のリレー素子をオン状態に制御しながら電圧Ｖａ、Ｖｂを検出することにより、電池モジュールＢｎ−１の負側に隣接する２個の電池モジュールの正側端子の電位をそれぞれ計算する。すなわち、二次電池１０１の正極から数えて３番目および４番目の電池モジュールの正側端子の電位が計測される。この後、電池モジュールＢ１まで、二次電池１０１内の各電池モジュールの電位が２点ずつ順番に計測される。
【００４３】
このように、電圧計測回路１においては、２個のリレー素子を同時にオン状態に制御することで、二次電池１０１内の２点の電位を同時に計測できる。また、最も電位の低い電池モジュールに接続されるリレー素子から、隣接する２個のリレー素子を順番にオン状態に制御しながら２個の電池モジュールの正側端子の電位を計測することで、１度の計測で２個の電池モジュールの電圧を求めることができる。したがって、抵抗分圧回路を用いて電池の電圧を計測する電圧計測回路において、各電池モジュールの電圧を計測するために要する時間を短縮できる。
【００４４】
＜バリエーション＞
上述の実施例では、図１に示すコントローラ１０８から独立して電圧計測回路１が設けられているが、本発明はこの構成に限定されるものではない。例えば、制御部１３の機能は、コントローラ１０８により実現してもよい。また、電圧計測回路１は、各電池モジュールと対応するリレー素子との間に、それぞれＲＣフィルタを備えてもよい。
【符号の説明】
【００４５】
１  電圧計測回路
１１、１２抵抗回路
１３  制御部
１０１二次電池
【図１】
2020159989.tif 000005
【図２】
2020159989.tif 000006
【図３】
2020159989.tif 000007